(57)【要約】【課題】ドアの内部に浸入した水を特定の経路に案内する。【解決手段】ドアのインナパネル３の車両外側面に固定され、固定ガラスの下端部を下方から支持する第一ブラケット１０と、第一ブラケット１０の下方において車両前後方向に延設されるとともに、インナパネル３の車両外側面に固定された樋状の第二ブラケット２０と、を備える。インナパネル３は、その後端部において上下方向に延設された第一湾曲部３ｄを有する。第一湾曲部３ｄは、最も後方において車両前方を向く第一面３ａと、第一面３ａよりも車両前方かつ車両内側において車両外側を向く第二面３ｂとを曲面状に繋ぐ部分である。第二ブラケット２０は、車両後方へ下降傾斜するとともに受け止めた水を第一面３ａまたは第一湾曲部３ｄへと導く底面部２１を有する。【選択図】図３
2018134916.tif 000002
【特許請求の範囲】
【請求項１】
車両のドアに固定された固定ガラスを具備した前記ドアの排水構造であって、
前記ドアのインナパネルの車両外側面に固定され、前記固定ガラスの下端部を下方から支持する第一ブラケットと、
前記第一ブラケットの下方において車両前後方向に延設されるとともに、前記インナパネルの前記車両外側面に固定された樋状の第二ブラケットと、を備え、
前記インナパネルは、その後端部において上下方向に延設され、最も後方において車両前方を向く第一面と前記第一面よりも車両前方かつ車両内側において車両外側を向く第二面とを曲面状に繋ぐ湾曲部を有し、
前記第二ブラケットは、車両後方へ下降傾斜するとともに受け止めた水を前記第一面または前記湾曲部へと導く底面部を有する
ことを特徴とする、ドアの排水構造。
【請求項２】
前記底面部には、車両前後方向に延びる溝が設けられている
ことを特徴とする、請求項１記載のドアの排水構造。
【請求項３】
前記湾曲部は、前記インナパネルに固定されたラッチよりも車両外側に位置し、
前記底面部は、車両外側へ下降傾斜している
ことを特徴とする、請求項１または２記載のドアの排水構造。
【請求項４】
前記インナパネルは、前記第一面および前記第二面と、前記第二面よりも車両前方かつ車両内側において車両前方を向く第三面とによって前記後端部が段差状に形成され、
前記底面部は、前記第三面よりも車両後方に突設された排出部を有し、前記排出部よりも車両前方において車幅方向寸法が車両後方に行くほど拡大形成されている
ことを特徴とする、請求項１〜３のいずれか１項に記載のドアの排水構造。
【請求項５】
前記固定ガラスの下端部には、ウェザーストリップが装着されており、
前記ウェザーストリップは、車両前方へ下降傾斜した状態で車両前後方向に延設されるとともに、その前端に水抜き孔を有し、
前記第二ブラケットは、その前端部が前記水抜き孔よりも車両前方に位置するように配置されている
ことを特徴とする、請求項１〜４のいずれか１項に記載のドアの排水構造。
【請求項６】
前記第二ブラケットは、前記底面部の車両内縁および車両外縁のそれぞれに立設された内壁部および外壁部と、前記内壁部および前記外壁部の前縁同士が結合されて形成された斜面部と、を有する
ことを特徴とする、請求項１〜５のいずれか１項に記載のドアの排水構造。
【請求項７】
前記湾曲部よりも車両前方に設けられ、前記インナパネルの前記車両外側面と前記第二ブラケットとの間の隙間をシールするシーリング材を備えた
ことを特徴とする、請求項１〜６のいずれか１項に記載のドアの排水構造。
【発明の詳細な説明】
【技術分野】
【０００１】
本発明は、車両のドアに固定されたサイドガラスの周辺から浸入した水を排水するための排水構造に関する。
【背景技術】
【０００２】
車両のドア（例えばリヤドア）には、昇降自在なサイドガラスとの間にドアサッシュを挟んで固定されたサイドガラス（ステーショナリーガラスやパーティションガラスとも呼ばれる）が設けられたものがある。この固定ガラスは、例えばリヤドアのインナパネルに取り付けられたウェザーストリップによって支持される。また、固定ガラスとリヤドアのアウタパネルとの間は、ベルトラインモール（アウトサイドモールやアウタウェザーストリップとも呼ばれる）によってシールされる。なお、ベルトラインモールは、例えばアウタパネルの縁に沿って設けられるシール部材であり、固定ガラスの外側面に当接するリップを有する。
【０００３】
固定ガラスの周囲は、このベルトラインモールによって概ねシールされるものの例えば、ベルトラインモールのリップの端末と固定ガラスとの間の僅かな隙間やウェザーストリップの水抜き孔などから、アウタパネルとインナパネルとの間の空間に水が浸入することがある。インナパネルとアウタパネルとの間の空間にはラッチが配置されているため、水が浸入することでラッチの被水を招く。また、アウタパネル内に浸入した水が、インナパネルに形成された孔（例えばラッチ嵌合孔やチャイルドロックレバーの孔など）から車室内に浸入することもある。
【０００４】
これに対し、固定ガラスの周辺から浸入した水を排水するための構造が提案されている。例えば特許文献１のシール構造では、固定ガラスの下縁を支持する支持溝に配設された樋部材によって水が集められ、この水が樋部材の前端に設けられた流出口からパーティションサッシュの溝部内へ排出されている。また、特許文献２には、ウェザーストリップの水抜き孔からドア内部に浸入した水の流れが排水部によって制御される構成が開示されている。具体的には、浸入した水が、水誘導板によってラッチを避けてインナパネルの内面側またはアウタパネルの内面側に導かれている。
【先行技術文献】
【特許文献】
【０００５】
【特許文献１】特許第３６２６６１２号公報
【特許文献２】特許第５４９３４７６号公報
【発明の概要】
【発明が解決しようとする課題】
【０００６】
しかしながら、上記の特許文献１の構成によってラッチの被水防止性を向上させるためには、パーティションサッシュとラッチとの間隔を広めに確保する必要があり、スペース効率や配置自由度が低下しうる。また、上記の特許文献２では、インナパネルの内面側に水を導く構成を採用した場合にはラッチをインナパネルに取り付けると、ラッチの嵌合孔から水が浸入する可能性があるため好ましくない。また、特許文献２では、ウェザーストリップの前端に形成された水抜き孔から浸入した水はそのまま落下しているため、ラッチの被水を防止することが難しい。つまり、リヤドアの内部に浸入した水の経路が定まらない場合には、ラッチの被水を必ずしも防止できるとは限らない。
【０００７】
本件のドアの排水構造は、このような課題に鑑み案出されたもので、ドアの内部に浸入した水を特定の経路に案内することを目的の一つとする。なお、これらの目的に限らず、後述する発明を実施するための形態に示す各構成により導かれる作用効果であって、従来の技術によっては得られない作用効果を奏することも本件の他の目的である。
【課題を解決するための手段】
【０００８】
（１）ここで開示するドアの排水構造は、車両のドアに固定された固定ガラスを具備したドアの排水構造であって、前記ドアのインナパネルの車両外側面に固定され、前記固定ガラスの下端部を下方から支持する第一ブラケットと、前記第一ブラケットの下方において車両前後方向に延設されるとともに、前記インナパネルの前記車両外側面に固定された樋状の第二ブラケットと、を備える。前記インナパネルは、その後端部において上下方向に延設され、最も後方において車両前方を向く第一面と前記第一面よりも車両前方かつ車両内側において車両外側を向く第二面とを曲面状に繋ぐ湾曲部を有する。また、前記第二ブラケットは、車両後方へ下降傾斜するとともに受け止めた水を前記第一面または前記湾曲部へと導く底面部を有する。
【０００９】
（２）前記底面部には、車両前後方向に延びる溝が設けられていることが好ましい。
（３）前記湾曲部は、前記インナパネルに固定されたラッチよりも車両外側に位置し、前記底面部は、車両外側へ下降傾斜していることが好ましい。
（４）前記インナパネルは、前記第一面および前記第二面と、前記第二面よりも車両前方かつ車両内側において車両前方を向く第三面とによって前記後端部が段差状に形成されていることが好ましい。この場合、前記底面部は、前記第三面よりも車両後方に突設された排出部を有し、前記排出部よりも車両前方において車幅方向寸法が車両後方に行くほど拡大形成されていることが好ましい。
【００１０】
（５）前記固定ガラスの下端部にはウェザーストリップが装着されており、前記ウェザーストリップは、車両前方へ下降傾斜した状態で車両前後方向に延設されるとともに、その前端に水抜き孔を有し、前記第二ブラケットは、その前端部が前記水抜き孔よりも車両前方に位置するように配置されていることが好ましい。
【００１１】
（６）前記第二ブラケットは、前記底面部の車両内縁および車両外縁のそれぞれに立設された内壁部および外壁部と、前記内壁部および前記外壁部の前縁同士が結合されて形成された斜面部と、を有することが好ましい。
（７）前記排水構造は、前記湾曲部よりも車両前方に設けられ、前記インナパネルの前記車両外側面と前記第二ブラケットとの間の隙間をシールするシーリング材を備えていることが好ましい。
【発明の効果】
【００１２】
開示のドアの排水構造によれば、固定ガラスの周辺からドアの内部に浸入した水を第二ブラケットの底面部で受け止め、インナパネルの第一面または湾曲部へと案内し、第一面または湾曲部に沿わせて下方へと流すことができる。これにより、固定ガラスの周辺から浸入した水を、特定の経路にのみ流すことができる。
【図面の簡単な説明】
【００１３】
【図１】実施形態に係る排水構造が適用されたリヤドアの側面図と、リヤドアの一部を拡大するとともにアウタパネルを透視して示す拡大図とを併せて示す図である。
【図２】（Ａ）は図１のＡ−Ａ矢視断面図であり、（Ｂ）は図１のＢ−Ｂ矢視断面図である。
【図３】図１の拡大図を、車両前方外側から俯瞰した斜視図である。
【図４】排水構造を車両前方外側から俯瞰した斜視図である。
【図５】図１のＣ−Ｃ矢視断面図に第二ブラケットを投影した図である。
【図６】第二ブラケットの上面図である。
【図７】図３に水の経路を追加した斜視図である。
【発明を実施するための形態】
【００１４】
図面を参照して、実施形態としてのドアの排水構造について説明する。以下に示す実施形態はあくまでも例示に過ぎず、以下の実施形態で明示しない種々の変形や技術の適用を排除する意図はない。本実施形態の各構成は、それらの趣旨を逸脱しない範囲で種々変形して実施することができる。また、必要に応じて取捨選択することができ、あるいは適宜組み合わせることができる。
【００１５】
以下の説明では、車両の進行方向を前方（車両前方）、逆側を後方（車両後方）とし、前方を基準に左右を定める。また、重力の方向を下方とし、その逆を上方として説明する。さらに、車両の左右方向（車幅方向）において、車室側（車両内側）を「内側」といい、その逆（車両外側）を「外側」という。
【００１６】
［１．全体構成］
本実施形態の排水構造は、図１に示す車両のリヤドア１（ドア）に適用される。ここでは、車両の左側面に設けられるリヤドア１を例示するが、車両の右側面のリヤドアにも同様の（左右対称の）構成の排水構造を適用可能である。リヤドア１は、アウタパネル２とインナパネル３とが組み合わされて構成され、上部に配置された昇降ガラス４およびステーショナリーガラス５（固定ガラス）を有する。昇降ガラス４とステーショナリーガラス５との間は、サッシュ５ａによって仕切られている。サッシュ５ａは、リヤドア１の上端から後述するラッチ８よりも下方まで延設される。
【００１７】
インナパネル３は、リヤドア１の外側面を形成するアウタパネル２の内側に配置され、アウタパネル２との間に空間１Ａを形成する。インナパネル３の後端部は、上下方向に延在する三つの表面３ａ，３ｂ，３ｃによって段差状（クランク状）に形成される。図５に示すように、第一面３ａは前方を向く面であって最も後方に位置する。なお、第一面３ａの外端部にはヘム面３ｅが設けられ、このヘム面３ｅにアウタパネル２が固定される。
【００１８】
第二面３ｂは、第一面３ａよりも前方かつ内側において外側を向く面であり、第三面３ｃは、第二面３ｂよりも前方かつ内側において前方を向く面である。インナパネル３は、第一面３ａと第二面３ｂとの間を曲面状に繋ぐ第一湾曲部３ｄ（湾曲部）を有する。すなわち、第一湾曲部３ｄは、第一面３ａの内縁と第二面３ｂの後縁とを滑らかに繋ぎ、インナパネル３の後端部において上下方向に延設された部分である。本実施形態のインナパネル３は、第二面３ｂと第三面３ｃとの間にも、これらを曲面状に繋ぐ第二湾曲部３ｆが上下方向に延設されている。なお、第一湾曲部３ｄと第二湾曲部３ｆとは湾曲方向が反対である。
【００１９】
図１に示すように、ステーショナリーガラス５は、リヤドア１の窓枠のうちサッシュ５ａで仕切られた後方側の部分に嵌め込まれて固定されている。ステーショナリーガラス５の周縁部には、その全周に亘ってステーショナリーウェザーストリップ６（以下、単に「ウェザーストリップ６」という）が装着されており、ステーショナリーガラス５は、ウェザーストリップ６を介して窓枠に固定されている。ステーショナリーガラス５は、その前縁がサッシュ５ａの溝部（図示略）に嵌合され、下端部がインナパネル３に固定された第一ブラケット１０に嵌合されて支持されている。第一ブラケット１０は、ステーショナリーガラス５（ウェザーストリップ６）を下方から支持する部品であり、インナパネル３の外側面に固定されている。
【００２０】
図１，図２（Ａ）および（Ｂ）に示すように、第一ブラケット１０は、インナパネル３の窓枠を構成する端部（ベルトライン）に沿って前方へ下降傾斜した状態で前後方向に延設される。また、図２（Ａ）に示すように、ウェザーストリップ６は、ステーショナリーガラス５に対し、その下端部を挟み込んだ状態で装着されており、第一ブラケット１０と同様に、前方へ下降傾斜した状態で前後方向に延設される。そして、ウェザーストリップ６におけるステーショナリーガラス５の下端部に装着される部位の前端には、ステーショナリーガラス５とウェザーストリップ６との間の僅かな隙間に浸入した水を排出するための水抜き孔６ａが設けられる。また、図２（Ａ）および（Ｂ）に示すように、ステーショナリーガラス５の下端部における外側の面は、アウタパネル２の窓枠を構成する端部（ベルトライン）に沿って取り付けられたベルトラインモール７のリップによってシールされる。
【００２１】
図１および図３に示すように、インナパネル３の外側面（アウタパネル２に対向する面）にはラッチ８が取り付けられる。ラッチ８は、インナパネル３の第一湾曲部３ｄよりも内側に配置される。インナパネル３のラッチ８と重なる箇所には、例えば、ラッチ８の嵌合孔，ラッチ８のハーネスコネクタ部の孔，チャイルドロックレバーの孔等の貫通孔（いずれも図示略）が形成されている。
【００２２】
そのため、ステーショナリーガラス５の周辺（例えば、ベルトラインモール７のリップ端末とステーショナリーガラス５との間の隙間やウェザーストリップ６の水抜き孔６ａなど）から空間１Ａに浸入した水がラッチ８にかかるように流れてしまうと、上記の貫通孔から車室内に水が浸入しうる。本実施形態の排水構造は、このようなラッチ８の被水を防止するためのものである。以下、排水構造について詳述する。
【００２３】
［２．排水構造］
本実施形態の排水構造は、上記の第一ブラケット１０と第二ブラケット２０とシーリング材３０とを備え、上述したインナパネル３の後端部の形状を利用して、ステーショナリーガラス５の周辺から浸入した水を、インナパネル３の第一面３ａまたは第一湾曲部３ｄへと案内するものである。二つのブラケット１０，２０は、例えば薄い板金を曲げ加工することで形成される。
【００２４】
図１〜図４に示すように、第一ブラケット１０は、ステーショナリーガラス５の下端部（ウェザーストリップ６）を下方から支持する支持部１１と、インナパネル３に対して第一ブラケット１０を取り付けるための固定部１２と、ウェザーストリップ６の外側において支持部１１から立設された立面部１３とを有する。
【００２５】
図２（Ｂ）に示すように、支持部１１は、ウェザーストリップ６の幅寸法（車幅方向の寸法）よりも大きな幅寸法を有する平面状の部位であり、内側に向かって下降傾斜している。図２（Ｂ）および図４に示すように、固定部１２は、支持部１１の内縁から立設され、インナパネル３の窓枠を構成する端部の外側面に沿った平面状あるいは曲面状の部位である。固定部１２は、例えば溶接によってインナパネル３に固定される。立面部１３は、支持部１１の外縁から立設され、固定部１２に対向する部位である。すなわち、第一ブラケット１０は、上方に開放した略コの字形状に形成されている。
【００２６】
図１〜図６に示すように、第二ブラケット２０は、ステーショナリーガラス５の周辺から浸入した水（上から流れてくる水）を受け止め、その水をインナパネル３の第一面３ａまたは第一湾曲部３ｄへと案内する樋状の部品である。第二ブラケット２０は、第一ブラケット１０の下方において前後方向に延設されるとともに、インナパネル３の外側面に固定される。第二ブラケット２０は、その前端部がウェザーストリップ６の水抜き孔６ａよりも前方に位置するように配置される。また、図５に示すように、第二ブラケット２０の後端部（後述する排出部２１ａ）は、インナパネル３の第一湾曲部３ｄに近接配置され、第一面３ａとの間に隙間をあけて配置される。
【００２７】
図１〜図６に示すように、第二ブラケット２０は、浸入した水を受け止められるように、樋状（すなわち上方に開放したほぼコの字形状）に形成されている。つまり、第二ブラケット２０は、水を受け止めて案内する機能を持った底面部２１と、底面部２１の内縁および外縁のそれぞれに立設された内壁部２２および外壁部２３とを有する。底面部２１は、後方へ下降傾斜した状態で前後方向に延設され、受け止めた水を第一面３ａまたは第一湾曲部３ｄへと導くものである。
【００２８】
図２（Ａ），（Ｂ），図５および図６に示すように、底面部２１には、前後方向に延びる溝２１ｃが凹設されている。この溝２１ｃによって、底面部２１で受け止められた水が後方へと流れやすくなる。また、底面部２１は、インナパネル３の第三面３ｃよりも後方に突設された排出部２１ａを有し、排出部２１ａよりも前方において車幅方向の寸法が後方へ行くほど拡大形成されている。さらに、本実施形態の底面部２１は、図２（Ａ）および（Ｂ）に示すように、外側に向かって下降傾斜している。このような構成により、底面部２１によって水を受け止めやすくなるとともに、この水が外側へ案内されながら後方へと流れやすくなり、排出部２１ａから第一面３ａまたは第一湾曲部３ｄへとスムーズに排出される。
【００２９】
内壁部２２および外壁部２３は、底面部２１で受け止めた水が内側および外側へ流れ落ちないようにするためのものである。言い換えると、底面部２１上の水が排出部２１ａ以外から排出されることを防ぎ、第二ブラケット２０によって受け止めた水の経路を一つ（インナパネル３の第一面３ａまたは第一湾曲部３ｄ）に定めるための部位である。
【００３０】
内壁部２２は、インナパネル３に対して第二ブラケット２０を固定するための固定部としての機能も併せ持つ。本実施形態の内壁部２２は、図４および図６に示すように、インナパネル３に対する第二ブラケット２０の位置を決めるための二つの位置決め孔２２ａを有する。なお、各位置決め孔２２ａと重なるように第一ブラケット１０にも位置決め孔を設け、位置決めを共用してもよい。また、本実施形態の内壁部２２は、インナパネル３に対して二箇所でスポット溶接される。なお、図４中の符号３１はスポット打点を示す。
【００３１】
本実施形態の第二ブラケット２０は、内壁部２２および外壁部２３の前縁同士が互いに近づく方向へ湾曲形成されるとともに、前縁同士が結合されて形成された斜面部２４を有する。斜面部２４は、底面部２１よりも大きな傾斜角で後方へ下降傾斜しており、おもにベルトラインモール７のリップとサッシュ５ａとの隙間やウェザーストリップ６の水抜き孔６ａから落下してきた水を受け止める。
【００３２】
シーリング材３０は、図４および図５に示すように、第一湾曲部３ｄよりも前方に設けられ、インナパネル３の外側面と第二ブラケット２０の内壁部２２との間の隙間をシールするものである。シーリング材３０は、底面部２１上の水が排出部２１ａ以外の部分からインナパネル３へ排出されることを防ぎ、水の経路を一つ（インナパネル３の第一面３ａまたは第一湾曲部３ｄ）に定めるためのものである。
【００３３】
本実施形態のシーリング材３０は、インナパネル３の第二面３ｂの前側部分から第三面３ｃを亘って後側のスポット打点３１に至る範囲に設けられている。なお、シーリング材３０が設けられる範囲はこれに限られず、例えば、第二面３ｂと第三面３ｃとの間の第二湾曲部３ｆから後側のスポット打点３１に至る範囲にシーリング材３０が設けられていてもよい。
【００３４】
［３．作用，効果］
（１）上述した排水構造によれば、図７中に太矢印で示すように、ステーショナリーガラス５の周辺から空間１Ａ（リヤドア１の内部）に浸入した水を第二ブラケット２０の底面部２１で受け止めることができる。さらに、受け止めた水をインナパネル３の第一面３ａまたは第一湾曲部３ｄへと案内し、第一面３ａまたは第一湾曲部３ｄに沿わせて下方へと流すことができる。
【００３５】
つまり、上述した排水構造によれば、ステーショナリーガラス５の周辺からリヤドア１の内部に浸入した水を、特定の経路にのみ流すことができる。このため、例えば本実施形態のように、第一湾曲部３ｄよりも内側に位置するようにラッチ８をインナパネル３に取り付ければ、ラッチ８の被水防止性を向上させることができる。これにより、インナパネル３のラッチ８と重なる箇所に形成された貫通孔から車室内に水が浸入することを防ぐことができる。
【００３６】
（２）上述した排水構造では、第二ブラケット２０の底面部２１に溝２１ｃが凹設されているため、底面部２１上の水が後方へと流れやすくなり、排水性を向上させることができる。
（３）また、上述した排水構造では、インナパネル３の第一湾曲部３ｄがラッチ８よりも外側に位置している。また、第二ブラケット２０の底面部２１は、外側へも下降傾斜しているため、底面部２１上の水は後方へ流れつつ外側にも案内される。つまり、第二ブラケット２０を流れる水はラッチ８よりも車幅方向外側の位置で排水されるため、ラッチ８の被水防止性をさらに向上させることができる。
【００３７】
（４）上述した排水構造では、底面部２１が後方に行くほど拡大形成されているため、第二ブラケット２０によってウェザーストリップ６の水抜き孔６ａなどの想定された箇所以外から浸入する水も受け止められやすくなる。また、その水が後方へと流れやすくもなるため、排水性を向上させることができる。さらに、排出部２１ａが第三面３ｃよりも後方に突設されているため、底面部２１を流れてきた水を第一面３ａまたは第一湾曲部３ｄへと導くことができる。言い換えると、ステーショナリーガラス５の周辺からリヤドア１の内部に浸入した水を、特定の経路にのみ流すことができる。
【００３８】
（５）上述した排水構造では、第二ブラケット２０の前端部がウェザーストリップ６の水抜き孔６ａよりも前方に位置するように配置されているため、ウェザーストリップ６の水抜き孔６ａから落下した水も、第二ブラケット２０によって受け止めることができる。つまり、ウェザーストリップ６の水抜き孔６ａから落下した水も、特定の経路にのみ流すことができ、ラッチ８の被水を防止することができる。
【００３９】
（６）上述した第二ブラケット２０には、内壁部２２および外壁部２３の前縁同士が結合されて形成された斜面部２４が設けられている。このため、底面部２１で受け止めた水が前方へ流れることを防ぐことができ、排水性を向上させることができる。
（７）また、上述した排水構造によれば、インナパネル３の車両外側面と第二ブラケット２０との間の隙間がシーリング材３０によってシールされているため、第二ブラケット２０を伝う水が第一面３ａまたは第一湾曲部３ｄ以外の部分へ導かれることを防ぐことができる。つまり、ステーショナリーガラス５の周辺からリヤドア１の内部に浸入した水を、特定の経路にのみ流すことができる。
【００４０】
［４．その他］
上述した実施形態に関わらず、それらの趣旨を逸脱しない範囲で種々変形して実施することができる。上述した実施形態の各構成は、必要に応じて取捨選択することができ、あるいは適宜組み合わせてもよい。
上述した第一ブラケット１０の形状，固定方法，固定位置は一例であって上述したものに限られない。同様に、第二ブラケット２０の形状，固定方法，固定位置も一例であって、上述したものに限られない。
【００４１】
例えば、第二ブラケット２０の底面部２１の溝２１ｃを省略してもよいし、底面部２１が車幅方向に水平な姿勢でインナパネル３に固定されていてもよい。また、底面部２１が前後方向に一様な幅寸法で形成されていてもよいし、位置決め孔２２ａやスポット打点３１が上述した実施形態と異なる位置に設けられていてもよい。第二ブラケット２０は、少なくとも、底面部２１で受け止めた水をインナパネル３の第一面３ａまたは第一湾曲部３ｄへと導く形状や配置であればよい。
なお、ウェザーストリップ６やベルトラインモール７の形状，ラッチ８の位置，インナパネル３の形状は、上述したものや図示したものに限られない。また、上述した排水構造は、車両のリヤドア１以外のドアにも適用可能である。
【符号の説明】
【００４２】
１  リヤドア（ドア）
２  アウタパネル
３  インナパネル
３ａ  第一面
３ｂ  第二面
３ｃ  第三面
３ｄ  第一湾曲部（湾曲部）
５  ステーショナリーガラス（固定ガラス）
６  ステーショナリーウェザーストリップ（ウェザーストリップ）
６ａ  水抜き孔
８  ラッチ
１０  第一ブラケット
２０  第二ブラケット
２１  底面部
２１ａ  排出部
２１ｃ  溝
２２  内壁部
２３  外壁部
２４  斜面部
３０  シーリング材
【図１】
2018134916.tif 000003
【図２】
2018134916.tif 000004
【図３】
2018134916.tif 000005
【図４】
2018134916.tif 000006
【図５】
2018134916.tif 000007
【図６】
2018134916.tif 000008
【図７】
2018134916.tif 000009